(57)【特許請求の範囲】
【請求項１】
スプールに釣糸を案内する釣糸案内部を有すると共に、ハンドル操作に連動回転するロータに逆転係止部を形成し、リ−ル本体に支持された係止部材を係合してなる逆転防止装置を備えた魚釣用リ−ルにおいて、前記ロータの筒部内側に周設した複数の前記逆転係止部の表面を、前記ロータに着脱可能に取付固定される保護部材で被覆したことを特徴とする魚釣用リ−ル。
【発明の詳細な説明】
【０００１】
【発明の属する技術分野】
本発明は、ハンドル操作に連動回転し釣糸案内部を有するロ−タの正回転を許容し逆回転を防止する逆転防止装置を備えた魚釣用リ−ルの改良に関する。
【０００２】
【従来の技術】
従来より逆転防止装置は、ハンドルに連動回転する駆動軸に固定され該駆動軸と一体回転するラチェット歯車に、リ−ル本体に回動可能に支持された係止爪を係合して構成されるラチェット方式が一般的に知られており、ラチェット歯車の歯部（係止部）の数を多く形成して逆転止め時の空転角を少なくできることにより、ロ−タの筒部内周の周方向に複数の歯部（係止部）を一体形成してリ−ル本体に支持した係止爪を係合させて逆転防止装置を構成したものが実開平５−２６７８号公報で知られているが、以下の課題が残されている。
【０００３】
ａ．ロ−タ逆転止め時の衝撃により、係止爪によってロ−タ筒部内周の歯部に傷が付き易く、ロ−タが金属製の場合等はその傷部分より腐食が発生し、歯部の強度が低下して逆転止め機能に支障をきたす。
ｂ．過負荷のロ−タ逆転止め使用や長時間の使用等で、ロ−タ筒部内周の歯部が損傷した時の修理を行う場合、ロ−タ全体の新規交換となってしまうため、修理費が高価となってしまうと共に交換作業に手間がかかる。
ｃ．逆転防止強度の向上を図る場合、歯部の強度向上に伴う材料選択使用により、ロ−タ全体が重量化してしまい、設計の自由度が制約されてしまう。
ｄ．ロ−タは異形であるため、歯部を精度高く形成し難い。
【０００４】
【発明が解決しようとする課題】
解決しようとする問題点は、ロ−タ筒部内周に歯部を設けることは実用性に劣ることである。
【０００５】
本発明の目的は前記欠点に鑑み、回転体の円筒部内に設ける逆転防止係止部を改善した魚釣用リ−ルを提供することである。
【０００６】
【課題を解決するための手段】
上記課題を解決するために、
請求項１に係わる本発明は、スプールに釣糸を案内する釣糸案内部を有すると共に、ハンドル操作に連動回転するロータに逆転係止部を形成し、リ−ル本体に支持された係止部材を係合してなる逆転防止装置を備えた魚釣用リ−ルにおいて、前記ロータの筒部内側に周設した複数の前記逆転係止部の表面を、前記ロータに着脱可能に取付固定される保護部材で被覆したことを要旨とするものである。
【０００７】
【発明の実施の形態】
請求項１の本発明により、ロ−タからなる回転体３は円筒部３ａ内に周方向に逆転係止部３ｎが形成され、逆転係止部３ｎの外側に別体の保護部材７が嵌合されて複数のビス３４で回り止め取付固定されて覆われているので、設計の段階でそのリ−ルの仕様に適した材料の保護部材７を回転体３と分離して選択使用でき設計の自由度を増すことができる。
保護部材７に必要な強度に回転体３の材料を合わせる必要がなく、リ−ルの重量増を最小限に抑え、軽量化を図ることが出来る。
回転体３の逆転係止部３ｎと分離して保護部材７が取付固定されて被覆されているので、使用経過による損傷が生じても保護部材７の交換で修理できるので、安価で且つ修理の際の作業も簡単になり、作業性が良い。
【０００８】

【実施例】
以下、図示の実施例によって本発明を説明すると、魚釣用リ−ルを魚釣用スピニングリ−ルで述べれば、図１から図６は第１実施例で、図１は魚釣用スピニングリ−ルの要部断面側面図、図２は図１のロ−タからなる回転体の要部拡大断面側面図、図３はロ−タからなる回転体の要部拡大断面背面図、図４はスプ−ルの要部拡大断面側面図、図５はスプ−ルの平面図、図６はスプ−ルの断面背面図である。
【０００９】

魚釣用スピニングリ−ルは、リ−ル本体１の両側に駆動歯車１０の回動軸１０ａが図示しない軸受で軸支され、回動軸１０ａの中心多角形孔にハンドル１１が固定されたハンドル軸１２が左右交換自在に挿入嵌合されている。
リ−ル本体１の前部には軸受１３で回転軸筒２が回転自在に軸受されると共に前側に突出されている。
軸受１３より前側の回転軸筒２の外周にカラ−１４とロ−タからなる回転体３が嵌合されてナット１５で固定されている。
【００１０】
回転軸筒２の基端は軸受部１ａで回転自在に軸承され、基端の前側に一体的に形成されたピニオン２ａに駆動歯車１０が噛合されてロ−タからなる回転体３はハンドル１１の回転に連動して回転されるように支持されている。
回転軸筒２の中心孔には先端にスプ−ル４が取り付けられたスプ−ル軸１６が前後往復動可能に摺動自在に挿入され、スプ−ル軸１６の後端部には摺動子１７が係止板１８で取り付けられている。
【００１１】
リ−ル本体１内の回転軸筒２のピニオン２ａより前側に連動歯車１９が回転軸筒２に回り止め嵌合されている。
リ−ル本体１内にはスプ−ル軸１６と平行に摺動機構のトラバ−スカム軸２０が軸受部１ａとリ−ル本体１の後側に取り付けられた側板２１で支承されている。
トラバ−スカム軸２０の先端には小歯車２２が回り止め嵌合されて小歯車２２は前記連動歯車１９に噛合されている。
トラバ−スカム軸２０には前記摺動子１７が嵌合されて摺動子１７に設けた係合子２３の爪がトラバ−スカム溝に係合されている。
【００１２】
リ−ル本体１に回動自在に取り付けられた操作杆２４の前側に円板２５が固定され、円板２５に作動ピン２５ａが植設されている。
リ−ル本体１の後側外部に突出した操作杆２４に操作ツマミ２６が取り付けられている。
リ−ル本体１の前側に支持軸２７が植設されて支持軸２７の前側に小径軸が形成されて外周に逆転防止爪からなる係止部材５と付勢バネ２８が嵌合されてＥリング２９で抜け止めされている。
逆転防止爪からなる係止部材５は爪部５ａと作動部５ｂで形成され、爪部５ａは係止部６ａに臨まされて作動部５ｂに作動ピン２５ａが臨まされている。
【００１３】
ロ−タからなる回転体３は円筒部３ａと円筒部３ａの後側で放射方向に延出した一対のベ−ル支持腕の基部３ｂ、３ｃと基部から前方に延出された一対のベ−ル支持腕３ｄ、３ｅと円筒部３ａ内の壁部３ｆとボス部３ｇとで形成されている。
一方のベ−ル支持腕３ｄの外側には一方のベ−ル支持部材３０が螺子３１で取り付けられ、他方のベ−ル支持腕３ｅの外側には他方のベ−ル支持部材３２が螺子３３で取り付けられ、実線の釣糸巻取位置と図示しない釣糸放出位置に反転自在に抜止め支持されている。
円筒部３ａ内の壁部３ｆより後側に別体の逆転防止体６が嵌合されて複数のビス３４で回り止め取付固定されている。
逆転防止体６には複数の爪からなる係止部６ａが形成されている。
逆転防止体６の材料は強化繊維樹脂やステンレス、アルミ、アルマイト、真鍮や硬質クロ−ムメッキ処理された材料が使用されている。
逆転防止体６の材料は回転体３の材料と異なる材料とすることが出来る。
【００１４】
一方のベ−ル支持部材３０には釣糸案内ロ−ラ３５の取付部３６が取り付けられている。
他方のベ−ル支持部材３２と釣糸案内ロ−ラ３５の取付部３６の間にベ−ル３７が取り付けられている。
一方のベ−ル支持腕３ｄの凹部３ｈ内にはト−ションバネ３８が設けられて一端が一方のベ−ル支持部材３０の穴に、他端がベ−ル支持腕３ｄに係止されて一方のベ−ル支持部材３０と他方のベ−ル支持部材３２と釣糸案内ロ−ラ３５の取付部３６とベ−ル３７を釣糸捲取り位置と釣糸放出位置に振分け付勢するように構成され、ト−ションバネ３８はビス３９で固定されたカバ−４０で覆われている。
一方のベ−ル支持腕３ｄの凹部３ｈ内には一方のベ−ル支持部材３０の底面が載る段部を有し中心に螺子３１が螺合される凸部３ｉが形成されている。
【００１５】
他方のベ−ル支持腕３ｅの凹部３ｊ内には他方のベ−ル支持部材３２の底面が載る段部を有し中心に螺子３３が螺合される凸部３ｋが形成されている。
他方のベ−ル支持腕３ｅの凹部３ｊ内には内蹴りレバ−４１が設けられて内蹴りレバ−４１の一端４１ａは他方のベ−ル支持部材３２の底面に穿設された穴に挿入されて所謂内蹴り反転機構が組み込まれ、内蹴りレバ−４１はビス４２で固定されたカバ−４３で覆われている。
内蹴りレバ−４１の他端４１ｂは他方のベ−ル支持腕３ｅ側の基部３ｃに穿設された透孔３ｍに挿入されてリ−ル本体１側に突出されている。
リ−ル本体１には反転用突起１ｂが形成されている。
【００１６】
スプ−ル４は、前側の鍔部４ａと釣糸４４が巻回される外周テ−パ−状の釣糸巻回胴部４ｂと、円筒状の後側円筒部４ｃとで形成されている。
スプ−ル４の釣糸巻回胴部４ｂ内部には制動部材Ａが収容されてスプ−ル軸１６の先端部に螺合されたツマミ４５で制動力が調節される。
後側円筒部４ｃの外周の周方向の任意の部位に釣糸４４の釣糸係止部材４６が固定され、釣糸係止部材４６に釣糸係止舌片４６ａが形成されている。
釣糸係止舌片４６ａは弾性変形可能で釣糸４４の端部が挟着される。
後側円筒部４ｃの周方向には釣糸４４が挿入可能な内径の複数の透孔４ｄが形成されている。
透孔４ｄは一個でもよい。
【００１７】
リ−ル本体１の後側に取り付けられた側板２１と、一方のベ−ル支持部材３０と他方のベ−ル支持部材３２のカバ−４０、４３にはこれら部材の外側表面の保護、傷防止するピン４７が固定されている。
ピン４７が固定される位置は夫々リ−ル本体１やロ−タ３の突出部位である。
ピン４７の固定方法は圧入、カシメ、ネジ等で行われる。
【００１８】
前記魚釣用スピニングリ−ルの動作は、釣糸４４がスプ−ル４に巻回される方向にハンドル１１が回転されると、駆動歯車１０が回転されてピニオン１０ａを介して回転軸筒２とロ−タからなる回転体３が正回転される。
更に連動歯車１９と小歯車２２を介してトラバ−スカム軸２０が連動回転されて摺動子１７とスプ−ル軸１６とスプ−ル４が前後に往復動される。
制動力が調節される時は、ツマミ４５が回動されて制動力が調節される。
ロ−タからなる回転体３が逆回転防止される時は、操作ツマミ２６と操作杆２４と逆転防止爪からなる係止部材５が回動されて逆転防止爪からなる係止部材５が逆転防止体６の爪からなる係止部６ａに係合されて回転体３の逆回転が防止される。
ロ−タからなる回転体３が逆回転防止されて釣が行われ、獲物の引きで釣糸４４が引かれてスプ−ル４が逆回転されると、スプ−ル４とスプ−ル軸１６の間で制動力が働く。
【００１９】
仕掛が投擲されて釣糸４４が遠方へ放出される際は、ベ−ル支持部材３０、３２が釣糸放出位置に反転されて釣竿が勢いよく振り下ろされる。
この時釣糸巻回胴部４ｂに巻回されている釣糸４４はスパイラル状に解かれて前部鍔部４ａより前方へ放出される。
この時内蹴りレバ−４１の他端４１ｂはリ−ル本体１の反転用突起１ｂに当接可能に臨まされている。
ハンドル１１の回転でロ−タからなる回転体３が回転されると、反転用突起１ｂに内蹴りレバ−４１の他端４１ｂが衝接されて後退され、ベ−ル支持部材３０、３２が実線の釣糸巻取位置に反転される。
【００２０】
魚釣用スピニングリ−ルが前記のように構成されると、ロ−タからなる回転体３は円筒部３ａ内に別体の逆転防止体６が嵌合されて複数のビス３４で回り止め取付固定されているので、設計の段階でそのリ−ルの仕様に適した材料の逆転防止体６を回転体３と分離して選択使用でき設計の自由度を増すことができる。
逆転防止体６の爪からなる係止部６ａに必要な強度に回転体３の材料を合わせる必要がなく、リ−ルの重量増を最小限に抑え、軽量化を図ることが出来る。
回転体３と分離して逆転防止体６が取付固定されているので、精度高く爪からなる係止部６ａが形成できる。
逆転防止体６の爪からなる係止部６ａに使用経過による損傷が生じても逆転防止体６の交換で修理できるので、安価で且つ修理の際の作業も簡単になり、作業性が良い。
逆転防止体６の材料を強化繊維樹脂とすると、傷部分よりの腐食の発生が防止出来る。
【００２１】
スプ−ル４の後側円筒部４ｃの外周の周方向の任意の部位に釣糸４４の釣糸係止部材４６が固定され、後側円筒部４ｃの周方向には釣糸４４が挿入可能な内径の複数の透孔４ｄが形成されていると、釣糸４４の端部は透孔４ｄに挿入されるので、釣糸４４が太い場合は、釣糸４４自体に張りがあり、釣糸４４の端部にリ−ル本体後側方向に力がかかると釣糸４４が釣糸係止部材４６から外れ、外れた釣糸４４はバックラッシュして糸が絡む等の不具合が発生するが、端部が透孔４ｄに挿入されていると、釣糸係止部材４６の釣糸係止舌片４６ａから外れ難い。
リ−ル本体１やロ−タ３の突出部位の側板２１やカバ−４０、４３にピン４７が固定されていると、リ−ル本体１やロ−タ３から突出した部材の保護、傷防止となる。
ピン４７の固定は簡単で、部品費を安く傷防止が出来る。
ピン４７を複数個取り付けることで、デザイン性が出てくる。
取付場所の自由度が大きい。
【００２２】
図７、図８は釣糸係止機能の他の実施例で、図７はスプ−ルの平面図、図８はスプ−ルの断面背面図である。
【００２３】
釣糸係止機能の他の実施例では、スプ−ル４の釣糸４４の釣糸係止部材４６取付位置一側の後側円筒部４ｃの外周に平面部４ｅで段部４ｆが形成されている。
他の構成は前記第１実施例と略同一である。
【００２４】
釣糸係止機能の他の実施例では、段部４ｆで釣糸４４が釣糸係止部材４６に挟着される前の段階でリ−ル本体後側方向にズレることが防止される。
【００２５】
図９、図１０は本発明の請求項１に係わる第１実施例で、図９はロ−タからなる回転体の要部拡大断面側面図、図１０はロ−タからなる回転体の要部拡大断面背面図である。
【００２６】
第１実施例で、ロ−タからなる回転体３の円筒部３ａ内の壁部３ｆより後側の周方向に逆転係止部３ｎが形成されている。
逆転係止部３ｎは別体の保護部材７が嵌合されて複数のビス３４で回り止め取付固定されて各逆転係止部３ｎが被覆係止部７ａで覆われている。
保護部材７の材料は強化繊維樹脂や金属材が使用されている。
【００２７】
第１実施例の魚釣用スピニングリ−ルが前記のように構成されると、ロ−タからなる回転体３は円筒部３ａ内に周方向に逆転係止部３ｎが形成され、逆転係止部３ｎの外側に別体の保護部材７が嵌合されて複数のビス３４で回り止め取付固定されて覆われているので、設計の段階でそのリ−ルの仕様に適した材料の保護部材７を回転体３と分離して選択使用でき設計の自由度を増すことができる。
保護部材７に必要な強度に回転体３の材料を合わせる必要がなく、リ−ルの重量増を最小限に抑え、軽量化を図ることが出来る。
回転体３の逆転係止部３ｎと分離して保護部材７が取付固定されて被覆されているので、使用経過による損傷が生じても保護部材７の交換で修理できるので、安価で且つ修理の際の作業も簡単になり、作業性が良い。
保護部材７の材料を強化繊維樹脂とすると、傷が付いても腐食の発生が防止出来る。
【００２８】
図１１はハンドルア−ムの突出部を保護、傷防止する実施例で、図１１はハンドルア−ムの平面図である。
【００２９】
ハンドルア−ムの突出部を保護、傷防止する実施例では、ハンドルア−ム８の突出部８ａにピン４７が固定されている。
【００３０】
前記保護、傷防止用ピン４７は両軸受型リ−ルの機枠外周や側板に設けてもよい。
【００３１】
【発明の効果】
本発明は、以上説明したような形態で実施され、以下に記載されるような効果を奏する。
【００３２】
請求項１により、ロ−タからなる回転体は円筒部内に周方向に逆転係止部が形成され、逆転係止部の外側に別体の保護部材が嵌合されて複数のビスで回り止め取付固定されて覆われているので、設計の段階でそのリ−ルの仕様に適した材料の保護部材を回転体と分離して選択使用でき設計の自由度を増すことができ、保護部材に必要な強度に回転体の材料を合わせる必要がなく、リ−ルの重量増を最小限に抑え、軽量化を図ることが出来る。
又、回転体の逆転係止部と分離して保護部材が取付固定されて被覆されているので、使用経過による損傷が生じても保護部材の交換で修理できるので、安価で且つ修理の際の作業も簡単になり、作業性が良い。
【図面の簡単な説明】
【図１】  魚釣用スピニングリ−ルの要部断面側面図である。
【図２】  同図１のロ−タからなる回転体の要部拡大断面側面図である。
【図３】  同ロ−タからなる回転体の要部拡大断面背面図である。
【図４】  同スプ−ルの要部拡大断面側面図である。
【図５】  同スプ−ルの平面図である。
【図６】  同スプ−ルの断面背面図である。
【図７】  釣糸係止機能の他の実施例で、スプ−ルの平面図である。
【図８】  同スプ−ルの断面背面図である。
【図９】  本発明の請求項１に係わる第１実施例で、ロ−タからなる回転体の要部拡大断面側面図である。
【図１０】  同ロ−タからなる回転体の要部拡大断面背面図である。
【図１１】  ハンドルア−ムの突出部を保護、傷防止する実施例で、ハンドルア−ムの平面図である。
【符号の説明】
１  リ−ル本体
３  ロ−タからなる回転体
３ａ  ロ−タからなる回転体の円筒部
３ｎ  逆転係止部
４  スプ−ル
５  係止部材
６  逆転防止体
６ａ  係止部
７  保護部材
４４  釣糸
【図１】
0003983498.tif 000002
【図２】
0003983498.tif 000003
【図３】
0003983498.tif 000004
【図４】
0003983498.tif 000005
【図５】
0003983498.tif 000006
【図６】
0003983498.tif 000007
【図７】
0003983498.tif 000008
【図８】
0003983498.tif 000009
【図９】
0003983498.tif 000010
【図１０】
0003983498.tif 000011
【図１１】
0003983498.tif 000012